(57)【特許請求の範囲】
【請求項１】
第一はめ込み部品の第一領域に隆起部及び／又は陥没部が設けられ、第一領域に対向する第二はめ込み部品の第二領域に隆起部及び／又は陥没部が設けられており、はめ込み部品をはめ込んだ後に隆起部及び陥没部が密閉するよう共に作用することによって特徴付けられるバルブ構成部品であって、ディスク形状の第一はめ込み部品を少なくとも一つ、ディスク形状の第二はめ込み部品を少なくとも一つ有して、第一及び第二はめ込み部品は各々穿孔部とこの穿孔部の外周に配される少なくとも一つの開口部を有し、はめ込み部品をはめ込んだ後、液体が貫流可能な流路が形成されるように、はめ込み部品の開口部が共に作用し、上記隆起部及び陥没部が、上記流路の密閉部として機能するよう、上記開口部の周囲全体又は部分的に開口部の周囲を囲むよう形成されているバルブ構成部品。
【請求項２】
少なくとも二つの流路を形成するために少なくとも二つの開口部がはめ込み部品に形成され、各はめ込み部品が隆起部及び／又は陥没部を有することによって特徴付けられる請求項１に記載のバルブ構成部品。
【請求項３】
はめ込み部品に隆起部及び陥没部が交互に存在することによって特徴付けられる請求項１又は請求項２に記載のバルブ構成部品。
【請求項４】
隆起部が直接開口部に面するようにはめ込み部品に配置されていることによって特徴付けられる請求項１、請求項２又は請求項３に記載のバルブ構成部品。
【請求項５】
隆起部が開口部と離間してはめ込み部品に配置されていることによって特徴付けられる請求項１、請求項２又は請求項３に記載のバルブ構成部品。
【請求項６】
開口部が円形或いは角形或いは楕円形或いはこれらいずれかを組み合わせた断面形状を有することによって特徴付けられる請求項１から請求項５のいずれか一項に記載のバルブ構成部品。
【請求項７】
ディスク形状のはめ込み部品がはめ込まれた状態において外周面に、スロット溝を一つ有して、隆起部及び／又は陥没部がスロット溝に直接する領域で周囲を囲むよう配置されており、その結果、スロット溝が少なくとも一つの流路に対して密閉されていることによって特徴付けられる請求項１から請求項６のいずれか一項に記載のバルブ構成部品。
【請求項８】
隆起部及び陥没部が、０．５ｍｍから２ｍｍの段差を有することによって特徴付けられる請求項１から請求項７のいずれか一項に記載のバルブ構成部品。
【請求項９】
はめ込み部品が対称形状或いは非対称形状に形成されていることによって特徴付けられる請求項１から請求項８のいずれか一項に記載のバルブ構成部品。
【請求項１０】
同一形状のはめ込み部品を組み合わせることができるよう、はめ込み部品或いは隆起部或いは陥没部或いはこれらいずれかの組み合わせが形成されていることによって特徴付けられる請求項１から請求項９のいずれか一項に記載のバルブ構成部品。
【請求項１１】
隆起部及び／又は陥没部が、変形可能なはめ込み用溝として形成されていることによって特徴付けられる請求項１から請求項１０のいずれか一項に記載のバルブ構成部品。
【請求項１２】
少なくとも一つ更に別のはめ込み用溝が少なくとも一つのはめ込み部品に形成されており、その結果、はめ込み部品を固着させる追加のはめ込み部品が接合可能となることによって特徴付けられる請求項１から請求項１１のいずれか一項に記載のバルブ構成部品。
【請求項１３】
はめ込み部品が、粉末冶金製品であることによって特徴付けられる請求項１から請求項１２のいずれか一項に記載のバルブ構成部品。
【請求項１４】
開口部を少なくとも一つ、隆起部及び／又は陥没部を少なくとも一つ有する第一及び第二はめ込み部品の製作、ならびに、はめ込み部品の開口部から流路を形成するためのはめ込み部品のはめ込みの製造方法プロセスを含み、はめ込みを用いることによって共に作用する隆起部及び陥没部によって流路の密閉が少なくとも一つ得られるバルブ構成部品製造方法であり請求項１から請求項１３のいずれか一項に記載のバルブ構成部品の製造方法。
【請求項１５】
はめ込む間、共に作用するはめ込み部品の隆起部及び陥没部の少なくとも一部が変形されることによって特徴付けられる請求項１４に記載の製造方法。
【請求項１６】
請求項１から請求項１３のいずれか一項に記載のバルブ構成部品を含むショックアブソーバーピストン。
【発明の詳細な説明】
【技術分野】
【０００１】
本発明は、バルブ構成部品、特にピストン用或いはバルブ用のバルブ構成部品に関するものであり、ディスク形状の第一はめ込み部品を少なくとも一つ、ディスク形状の第二はめ込み部品を少なくとも一つ有して、第一及び第二はめ込み部品は各々開口部を少なくとも一つ有し、はめ込み部品をはめ込んだ後、流路が形成されて液体、特にオイルが流路を貫流可能なようにはめ込み部品の開口部が共に作用する。本発明は、その他、バルブ構成部品製造方法に関するものである。
【背景技術】
【０００２】
その類のバルブ構成部品は、例えば、ショックアブソーバー用ピストンとして周知である。ショックアブソーバーピストンは独国特許出願公開第３７  ０１  ５５７号明細書に記載されている。二つのピストン半体から構成されるショックアブソーバーピストンは、周囲を囲むスロット溝を形成する後退部を、互いに密接する正面において周囲を囲むように有する。このスロット溝にはピストンがはめ込まれる。各ピストン半体には液体貫流路が形成され、ピストン半体が組み合わせられて貫流路を有するショックアブソーバーピストンが形成される。ピストン半体は、同一形状に形成され、皿ばね及び平座金を用いてピストンロッド終端部に固定される。
【０００３】
独国特許発明第１００  １３  ６３８号明細書では更に別のバルブ構成部品がショックアブソーバーピストンの形で周知である。ここに記載されたショックアブソーバーピストンは、中央の穿孔部を通じて、ピストンロッドと接合可能である。ショックアブソーバーピストンは、シリンダー壁に対してピストンを密閉するために、周囲を囲み、ピストンリングがはめ込まれるスロット溝を有する。ピストンリングは、密閉のために適した合成物質から構成される。ショックアブソーバーピストンを形成するピストン半体間の境界面領域における更に別のスロット溝には、Ｏリングとして形成されたバックアップリングがはめ込まれる。ピストンリングを用いてスロット溝に押し込まれるバックアップリングは、弾力性のあるたわみやすい材質から構成される。ピストンリングがシリンダー方向に密閉部を形成する一方、バックアップリングはピストン半体間の密閉及び許容差補正に役割を果たす。ピストン半体は同一形状を有して、ピストン半体には突出部及び後退部がはめ込まれ、その結果、ピストン半体を容易に然るべき位置にはめ込むことが可能である。
【０００４】
本発明の根底には、はめ込まれた部品間に高い気密性が得られるバルブ構成部品を作り上げるという課題がある。課題は、特に、バルブ構成部品に形成された貫流路を相互間に対して最善に密閉することにある。
その他に、密閉するバルブ構成部品に関して、構造上簡易で低コストの解決策を可能にすることが本発明の課題である。同様に、密閉するバルブ構成部品の製造方法を作り上げることが本発明の課題である。
【先行技術文献】
【特許文献】
【０００５】
【特許文献１】独国特許出願公開第３７  ０１  ５５７号明細書
【特許文献２】独国特許発明第１００  １３  ６３８号明細書
【発明の概要】
【発明が解決しようとする課題】
【０００６】
本課題は、特許クレーム１の特徴をもつバルブ構成部品によって、また、特許クレーム１７の特徴をもつ方法によって解決される。更に他の有効な形態及び特徴は、各下位クレームに開示されている。ただし、そこに開示されている特徴は、個々の下位クレームに制限されず、以下本明細のような他の下位クレームに開示されている他の特徴と組み合わせて、更に他の形態に結び付けることが可能である。
【課題を解決するための手段】
【０００７】
挙げられた課題を解決するバルブ構成部品は、バルブ構成部品で、特にピストン用或いはバルブ用のバルブ構成部品であり、ディスク形状の第一はめ込み部品を少なくとも一つ、ディスク形状の第二はめ込み部品を少なくとも一つ有して、第一及び第二はめ込み部品は各々開口部を少なくとも一つ有し、はめ込み部品をはめ込んだ後に流路、特に貫流路が形成されて液体、特にオイルが流路を貫流可能なようにはめ込み部品の開口部が共に作用して、第一はめ込み部品の第一領域に少なくとも一部が周囲を囲む隆起部及び／又は陥没部が、第一領域に対向する第二はめ込み部品の第二領域に少なくとも一部が周囲を囲む隆起部及び／又は陥没部が設けられており、はめ込み部品をはめ込んだ後に隆起部及び陥没部が密閉するよう共に作用するバルブ部品である。バルブ構成部品の本発明に基づく形態によって、バルブ構成部品が形成するはめ込み部品を相互に対して密閉することが可能となる。その際、例えば中央に配置されたバルブ構成部品境界面から更に他のはめ込み部品の方向へと及ぶはめ込み部品上の領域が、隆起部或いは陥没部として見なされる。特に、境界面は、バルブ構成部品の垂直方向中央に位置する。その際、例えばバルブ構成部品がピストン、特にショックアブソーバーピストンであり、ピストンロッドが貫通可能な貫通用穿孔部をショックアブソーバーピストンが中央に有すると仮定される場合、分離面は貫通用穿孔部の垂直方向中央に位置することができる。隆起部は境界面から正方向に及ぶ材質の集積部として名称付けられる一方、陥没部は分離面から負方向に及ぶ切欠部によって定義付けられる。面領域の共同作用、例えば第一はめ込み部品隆起部及び第二はめ込み部品陥没部によって、はめ込み部品間に、はめ込み部品と共にシーリング用溝形状を形成することが可能となる。
その際、はめ込み部品は各々開口部を少なくとも一つ有して、貫流路或いは流路がバルブ構成部品を貫通して形成されるように、はめ込み部品に存在する開口部は共に作用する。そのように、例えばバルブ構成部品がシリンダー内に配置され、貫流路を用いて液体がバルブ構成部品の一方からバルブ構成部品のもう一方へ流動することが可能である。バルブ構成部品のはめ込み部品にあって共に作用する隆起部及び／又は陥没部は、開口部によって形成される流路の密閉部を形成する。その際、隆起部及び／又は陥没部は、一部が周囲を囲む隆起部及び／又は陥没部として、或いは、開口部全体を囲い込む隆起部及び／又は陥没部、つまり密閉部として形成することが可能である。
【０００８】
更に他の別形形態では、第一はめ込み部品開口部の第一領域に少なくとも一部が開口部周囲を囲む隆起部及び／又は陥没部が、第一領域に対向する第二はめ込み部品の第二領域に開口部周囲を少なくとも一部囲む隆起部及び／又は陥没部が設けられており、その結果、はめ込み部品をはめ込んだ後に隆起部及び／又は陥没部が密閉するよう共に作用する。この場合、隆起部及び／又は陥没部は、開口部に直接して、或いは、開口部から離してはめ込み部品に配置することができる。その際、流路を形成する開口部は、液体が例えばはめ込み部品間の境界面に浸入できないように、直接密閉することが可能である。隆起部及び／又は陥没部は、その際、特に開口部から離した場合、迷路のような密閉部を形成する。また、ディスク形状のバルブ構成部品外周面のみに隆起部及び／又は陥没部を設けることも考えられる。その場合、特に同心円方向に密閉が行われる。開口部の数及び大きさに応じて、隆起部及び／又は陥没部から、周囲を囲む唯一の密閉部及び／又は開口部周囲を囲む密閉部が形成可能である。隆起部及び／又は陥没部を用いて、はめ込み部品間のはめ込み用溝及び固定用溝としても同時に役割を果たすことができるシーリング用溝形状が形成される。
【０００９】
少なくとも二つの流路を形成するために少なくとも二つの開口部がはめ込み部品ないしはバルブ構成部品に形成され、各はめ込み部品が隆起部及び／又は陥没部を有する場合、本発明の更に他の有効な形態形状が可能である。バルブ構成部品での開口部の数は、バルブ構成部品の実施態様及び使用目的に応じて異なることが可能である。そのように、バルブ構成部品は、一つ、二つ、三つ、四つ或いはそれ以上開口部を設けて形成することができ、開口部によって形成される各流路には、隆起部及び／又は陥没部から形成される密閉部が形成可能である。
【００１０】
同様に、はめ込み部品に隆起部及び陥没部が交互に存在する場合も、利点をもたらすことができ、これは本発明の実施態様の一つを表すことができる。隆起部及び陥没部が交互に或いは対称形状に或いはその両方で配置される場合、はめ込み部品のはめ込み簡易化が可能となり、特に隆起部及び陥没部が対称形状に配置される場合は、バルブ構成部品用のはめ込み部品を同一形状にすることができる。その際、はめ込み部品に例えば六つ開口部が存在し、はめ込み部品で周囲を囲むように各開口部周辺に一方で隆起部がもう一方で陥没部が形成されていることが、交互配置として考えられる。そのように、例えば、交互に、開口部周辺に陥没部を、次の開口部には隆起部を形成することが可能である。開口部の数が偶数の場合、はめ込みの簡易化が可能となり、開口部の数が奇数の場合は、バルブ構成部品組み合わせの際にはめ込み部品の明確な位置決めが可能となる。また、開口部周辺に隆起部及び陥没部を交互に配置して、その結果、はめ込み用溝として相互に噛み合う溝付けが可能となることも考えられる。
【００１１】
更に、隆起部及び／又は陥没部は、直接開口部と連続するようにはめ込み部品に配置することもできる。隆起部及び／又は陥没部の形で直接開口部に溝を配置することは、低コストの製造が保証されるという利点をもたらす。というのは、この場合、開口部自体が、隆起部及び／又は陥没部から相互に噛み合う溝を形成可能であるからである。
【００１２】
開口部は、円形或いは角形或いは楕円形或いはこれらのいずれかを組み合わせた断面形状を有することができる。ただし、この分類は、制限的な意味ではなく、開口部が要求事項に相応する任意の断面幾何形状を有することができる実施態様を単に表すのみである。開口部は、特に、幅が狭くなっていく形状、或いは、幅が広くなり狭くなっていく形状、或いは、幅が変わらない形状の開口部断面を形成することができる。開口部としてバルブ構成部品に円形或いは角形断面が形成されることが、断面形状として好ましい。開口部は、直線状或いは曲線形状でバルブ構成部品を貫通することもできる。開口部を流動する液体に関する要求事項に応じて、バルブ構成部品に密閉部を任意の数、断面、形成方法で配置することが考えられる。そのように、例えば、多量の液体がバルブ構成部品を流動できるよう大きな開口部を一つ或いは少数形成することが考えられ、或いは、液体流動がバルブ構成部品を貫通することを出来る限り抑制或いは低減するために、バルブ構成部品に小さな開口部を一つ或いは少数或いは多数形成することが考えられる。
【００１３】
更に別の実施態様では、ディスク形状のはめ込み部品がはめ込まれた状態において外周面で、特に両はめ込み部品によって形成され周囲を囲むスロット溝を少なくとも一つ有する。その際、隆起部及び／又は陥没部がスロット溝に直接する領域で周囲を囲むよう配置されており、その結果、スロット溝が少なくとも一つの貫流路に対して密閉されている。特に、バルブ構成部品が軸方向に移動可能となるように組み込まれる場合、バルブ構成部品で外周を囲むスロット溝が、例えばピストンリングといった、パッキンリング用受入部を形成する。ピストンリングは、例えばシリンダーに対して作用する際、軸方向に動くバルブ構成部品用に密閉部を形成する。ピストンリングの他、はめ込み面の隆起部及び／又は陥没部が、液体漏れに対する追加密閉部として、はめ込み部品のはめ込み面方向で作用する。
【００１４】
それによって、バルブ構成部品は、境界面或いははめ込み部品はめ込み面に沿った液体漏れが回避されるという利点をもたらす。周囲を囲むスロット溝が実施態様で利点をもたらす場合、特にバルブ構成部品が軸方向に移動する際、一つ或いは複数の軸方向スロット溝によって、バルブ構成部品の移動ガイド及び／又は密閉、及び、液体流動の方向付けが更に可能となる。その場合、軸方向とは、スロット溝がディスク形状に形成されたバルブ構成部品の中心軸方向に向いていることを表す。バルブ構成部品外周に個々或いは複数のスロット溝を形成する他に、軸方向に互い違いに配置された一つ或いは複数のスロット溝をはめ込まれる部品に形成することも可能である。
【００１５】
隆起部及び／又は陥没部は、境界面或いははめ込み面からディスク形状のバルブ構成部品の軸方向の正或いは負方向へ及ぶ。その際、隆起部及び／又は陥没部は、０．５ｍｍから２ｍｍ、特に約１ｍｍの段差を有する。該当領域に段差が０．５ｍｍから２ｍｍあることは、一方ではめ込み部品相互の位置決めが簡易化されるという利点、もう一方ではめ込み部品の隆起部及び陥没部が低コストで製造されるという利点をもたらすことができる。そのうえ、前述段差領域での隆起部及び陥没部によって、はめ込み面において、はめ込まれる部品間に最善の密閉効果が得られる。
【００１６】
隆起部及び／又は陥没部は、切削加工法或いは非切削加工法を用いて製造、つまり、バルブ構成部品に形成することができる。切削加工法或いは非切削加工法は、低コスト製造及び再現性という利点をもたらす。その類によって形成されるバルブ構成部品は、その他、形成部品製造用の半製品を同一形状に形成できるという利点をもたらし、このこともまた、良い方向で製造コストに影響を及ぼす。
【００１７】
本発明の更に他の有効な別形形態では、はめ込み部品が対称形状或いは非対称形状に形成されている。また、はめ込み部品を対称形状に形成することも、例えば多数のバルブ構成部品が必要とされる場合、その際例えば同一形状の部品をはめ込むことができるために利点をもたらすことができる。これに対して、はめ込み部品を非対称形状に形成することは、明確な分類、つまり、はめ込み部品の明確な位置決め及び方向決めが常に取り決め可能であるという利点をもたらす。
【００１８】
各々、図は以下を示す。
【図面の簡単な説明】
【００１９】
【図１】組み合わせられたバルブ構成部品の三次元図及び横断面図
【図２】バルブ構成部品の更に別の実施態様の三次元図及び横断面図
【図３】はめ込み面に隆起部及び陥没部を付けたバルブ構成部品のはめ込み部品の三次元図及び横断面図
【図４】対称形状はめ込み部品の更に別の形態形状の三次元図及び横断面図
【図５】周囲を囲む隆起部及び陥没部を付けたはめ込み部品の三次元図及びはめ込まれたはめ込み部品の横断面図及びはめ込み部品の更に別の横断面図
【図６】開口部に沿って隆起部及び陥没部を付けた更に別の実施態様の三次元図及び横断面図
【図７】組み合わせられたバルブ構成部品の更に別の形態形状の三次元図
【図８】軸方向にスロット溝を付けた形態形状の三次元図
【図９】バルブ構成部品の周囲に軸方向に互い違いにスロット溝を付けた、バルブ構成部品の更に別の選択可能な形態形状の三次元図
【発明を実施するための形態】
【００２０】
図１では、上段にバルブ構成部品１の三次元図が、下段にバルブ構成部品１断面が横断面図で再現されている。バルブ構成部品１は、例えばショックアブソーバーピストンの部品として示されている。バルブ構成部品１は、第一はめ込み部品２及び第二はめ込み部品３から形成される。はめ込み部品２、３には、組み合わせられて流路ないしは液体貫流路６を形成する開口部４、５が六つ形成されている。図１の全体像を容易に見られるように、液体貫流路６及び開口部４、５各一つのみに引用符が付けられている。はめ込み部品２、３は、対称形状に構造が作られ、シリンダー形状の空洞部或いは穿孔部の形で液体貫流用開口部７を有する。バルブ構成部品１は、穿孔部７を貫通して、例えばピストンロッドと接合可能である。バルブ構成部品１は、シリンダーに対する密閉のために例えばピストンリングが挿入可能な、周囲を囲むスロット溝を有する。流路６を密閉するために、隆起部９及び陥没部１０が周囲を囲むよう配置されている。その際、隆起部９及び陥没部１０は開口部４、５に直接して形成されており、その結果、隆起部９及び陥没部１０がシーリング用溝形状の一部を形成する。隆起部９及び陥没部１０は、はめ込み面１１から正方向及び負方向へ及ぶ。
【００２１】
単筒式ショックアブソーバーでバルブ構成部品１を適用することは、例えば欧州特許出願公開第０  ５０５  ７７３号明細書に記載されており、これをもって、その開示内容を全範囲において本明細書の対象として表明する。発明に基づくバルブ構成部品１は、例えば穿孔部７を貫通してピストンロッドと接合可能である。ばねプレートと称することもできる弁ばね座金を追加で用いて、内部の流入開口部５は、蓋閉及び密閉が可能である。
相応の構造をした弁ばね座金を用いて、液体貫流路６は、特に直線状或いは累進曲線状或いは逓減曲線状を問わず、いかなる衝撃吸収特性曲線設定にも構造を合わせることができる。そのうえ、相応に形成された液体貫流路６の助力を得て、引張側及び圧縮側に様々な衝撃吸収特性曲線を作り出すことが可能である。言い換えれば、ショックアブソーバーの衝撃吸収効果及び衝撃吸収特性曲線は、液体貫流路６の形状ならびに弁ばね座金の設定及び様式によって、設定することができる。弁ばね座金を用いて、穿孔部７との関係において内部にある流出開口部５が密閉される。相応の移動方向において、例えば油圧オイルといった液体は、流入開口部４から液体貫流路６及び流出開口部５を通って流動、その際、弁ばね座金が流出開口部５を開放する。その際、例えば図１に基づくバルブ構成部品１が上方へ動く場合、油圧オイルは流入開口部４から液体貫流路６を通り流出開口部５へ流動する。その際、オイル流動は、予め設定可能な圧力比に応じて、調節することが可能である。
【００２２】
図２では、上段が更に別のバルブ構成部品１２の三次元図、下段が横断面図を示す。バルブ構成部品は、ここでも、例えばショックアブソーバーピストンの部品として形成されて、図示されていないパッキンリング或いはピストンリング受入用に周囲を囲むようスロット溝１３を有する。バルブ構成部品１２は、流路１６を形成する、長方形として表現可能な開口部１４、１５を有する。貫流路１６は、例えば開口部１５から開口部１４へと、バルブ構成部品を貫通する液体の運搬に役割を果たす。バルブ構成部品１２には六つの流路１６が形成或いは加工されており、流路１６はバルブ構成部品１２を貫通して内側半径Ｒ１から外側半径ＲＡへ及ぶ。その際、開口部１４は、開口部１５の中心点となる内側半径Ｒ１より大きな外側半径ＲＡ上にある。バルブ構成部品１２を貫通する流路の位置及び経路によって、液体流動は調節可能である。液体は特にオイルである可能性がある。
【００２３】
図３では、上段がはめ込み部品１７の三次元図、下段がはめ込み部品１７の横断面図を示す。隆起部１９及び陥没部２０は、はめ込み面１８からディスク形状のはめ込み部品１７の中心軸２１に沿って軸方向に正方向及び負方向（Ｐ＋、Ｐ−）へ及ぶ。
【００２４】
その際、はめ込み部品１７の中心軸２１に沿った方向が軸方向として称される。図３下段で明確に認識できるとおり、隆起部１９ははめ込み面或いは境界面１８から中心軸２１に沿って正方向へ及ぶ。それと対照的に、これも矢印Ｐ＋及びＰ−で示されたとおり、陥没部２０は、中心軸２１に沿って負方向へ及ぶ。その際、隆起部１９及び陥没部２０の段差が１ｍｍの範囲であることが好ましい。
【００２５】
はめ込み部品１７は、対称形状に構造が作られ、交替ないしは交互に隆起部１９及び陥没部２０を有する。表面２２、２３は、例えば皿ばね、弁ばね座金、座面保護用座金といった更に追加される部品の受入用に役割を果たすことができる。
【００２６】
図４では、側面図がはめ込み部品２４の更に別の形態形状を示し、下段にはめ込み部品２４の横断面図が再現されている。隆起部２５及び陥没部２６が部分的に周囲を囲むように形成されている、はめ込み部品２４の実施態様を示す。はめ込み部品２４は、ここでも対称形状に構造が作られ、偶数の開口部２７を有する。その結果、バルブ構成部品を形成するために同一形状のはめ込み部品２４を組み合わせることが可能である。
【００２７】
図５では、上段がはめ込み部品２８の更に別の実施態様、中段がはめ込み部品２８の横断面図、下段が同一形状のはめ込み部品２８二つから形成され、組み合わせられたはめ込み部品２９を示す。はめ込み部品２８の隆起部３０は、外側のスロット溝３１から離してはめ込み部品２８に形成され、はめ込み部品２８の外周半径に沿って及ぶ。隆起部３０の段差は、はめ込み部品２８の半周の上に及び、その結果、同一形状のはめ込み部品２８二つをバルブ部品へと組み合わせることが可能である。陥没部３２は、同様にスロット溝３１から離してはめ込み部品２８に形成されている。
【００２８】
図６上段は、はめ込み部品３３の更に別の選択可能な実施態様の三次元図、下段は組み合わせられたバルブ構成部品３４としての横断面図を示す。隆起部３５及び陥没部３６は開口部３７に沿った全範囲を囲むように及び、その際、隆起部３５及び陥没部３６は開口部３７周縁３８から離してはめ込み部品３３に形成されている。特に、はめ込み部品３３は、切削加工法或いは非切削加工法、或いは粉末冶金、特に焼結法を用いて、或いはこれらいずれかを組み合わせた方法で、製造される。
【００２９】
断面図で明確に認識できるとおり、隆起部３５及び陥没部３６は密閉部を形成し、その結果、流路３９を通じて運搬された液体ははめ込み部品３３間のはめ込み面に浸入できない。それによって、スロット溝４１及びはめ込み面４０及び穿孔部４２方向への液体漏れが阻止される。はめ込み部品は、焼結部品であることが好ましい。焼結部品は、可能な限り最低限の手直し作業において高い部品精密性が得られるという利点をもたらす。
【００３０】
図７では、上段がバルブ構成部品４３の更に別の選択可能な実施態様の三次元図、下段が横断面図を示す。バルブ構成部品は、相応数のピストンリング或いはシート被覆（ＰＴＦＥシート）の受入が可能な多数のスロット溝４４を有する。スロット溝４４は、周囲全部を囲むようバルブ構成部品４３に形成され、その際、はめ込み部品４５はここでも対称形状の構造を有することができる。
【００３１】
バルブ構成部品４６の更に別の実施態様が図８に三次元図で再現されており、その類のピストンにもカフ形状の密閉部を形成されることが好ましい。バルブ構成部品４６には、規則正しく距離を取ってシーリング用溝形状の受入用に外周面全範囲に形成され、軸方向へと及ぶスロット溝４７が形成されている。
【００３２】
図９は、互い違いにスロット溝４９、５０を付けたバルブ構成部品４８の選択可能な実施態様を示す。バルブ構成部品４８の幾何形状、ならびに、特に軸方向及び水平方向、つまり境界面ないしははめ込み面５１に沿ったスロット溝の形成が制限されるものではないということは、バルブ構成部品４８が明確に示している。
【図１】
0005945276.tif 000002
【図２】
0005945276.tif 000003
【図３】
0005945276.tif 000004
【図４】
0005945276.tif 000005
【図５】
0005945276.tif 000006
【図６】
0005945276.tif 000007
【図７】
0005945276.tif 000008
【図８】
0005945276.tif 000009
【図９】
0005945276.tif 000010